(57)【特許請求の範囲】
【請求項１】
光コードを接続する複数の光アダプタが実装され、ラッチによりシャーシへの着脱が可能なアダプタパネルにおいて、アダプタパネルの一端に前記ラッチを設け、他端に爪状の突起を設け、シャーシと別体の掛止部品をシャーシにその裏面側から取り付け、該掛止部品に左右一対の掛止部を前方へ折り曲げ、各掛止部に開口部を形成し、該開口部に前記爪状の突起を嵌入することによって、アダプタパネルをシャーシに取り付けることを特徴とするアダプタパネル取付構造。
【請求項２】
前記掛止部品をシャーシの中央部に取り付け、シャーシの両端に分離式保護カバーの両端を取り付け、該カバーの中央部を掛止部品に設けた補強部で補強したことを特徴とする請求項１記載のアダプタパネル取付構造。
【発明の詳細な説明】
【技術分野】
【０００１】
本発明は、光アダプタが実装されるアダプタパネルをシャーシに着脱可能に取り付ける構造に関する。
【背景技術】
【０００２】
従来、特許文献１に示すように、光コードを接続するための複数の光アダプタをアダプタパネルに実装し、このパネルをラッチでシャーシに着脱可能に取り付ける技術が知られている。
【特許文献１】特開２００２−３７２６３４号公報
【０００３】
図６、図７に示す従来の取付構造では、２枚のアダプタパネル１０６の両端にラッチ１０７を設け、シャーシ１０１前面の孔１０２にラッチ１０７を挿入することでアダプタパネル１０６を取り付けている。
【０００４】
図８に示す従来の取付構造では、３枚のアダプタパネル２０６を取り付ける場合に、アダプタパネル２０６の両端を上下に重なる形状で形成することで、ラッチ２０７が占めるスペースを少なくしている。
【０００５】
また、図６、図８に示すように、多数本の光コードを受ける保護カバー１１６、２１６をシャーシ１０１、２０１と一体形成し、アダプタパネル１０６、２０６の前方に延長して、光アダプタ１０８、２０８を保護する技術も知られている。
【発明の開示】
【発明が解決しようとする課題】
【０００６】
しかし、図６、図７の従来技術によると、２枚のアダプタパネル１０６が隣接する箇所に、２個のラッチ１０７を並べるスペースが必要となっている。そのため、アダプタパネル１０６に設置できる光アダプタ１０８の個数が制限されてしまう問題点があった。
【０００７】
図８の従来技術によると、ラッチ２０７の位置をアダプタパネル２０６の上下に段違いとすることで、ラッチ２０７が占めるスペースを少なくしているが、アダプタパネル２０６の形状が複雑であり、加工箇所が増え、ラッチ２０７の数も増える等の問題点があった。
【０００８】
本発明の目的は、上記課題を解決し、ラッチの数を減らし、光アダプタの実装密度を向上できるアダプタパネル取付構造を提供することにある。
【課題を解決するための手段】
【０００９】
上記目的を達成するために、本発明のアダプタパネル取付構造は、光コードを接続する複数の光アダプタが実装され、ラッチによりシャーシへの着脱が可能なアダプタパネルにおいて、アダプタパネルの一端に前記ラッチを設け、他端に爪状の突起を設け、該突起をシャーシに設けた開口部へ嵌入することによって、アダプタパネルをシャーシに取り付けることを特徴とする。
【００１０】
また、本発明は、シャーシにアダプタパネルと分離式保護カバーの両方を取り付けるに適した構造を提供する。この取付構造は、前記開口部をシャーシと別体の掛止部品に設け、該掛止部品をシャーシの中央部に取り付け、シャーシの両端に分離式保護カバーの両端を取り付け、該カバーの中央部を掛止部品に設けた補強部で補強したことを特徴とする。
【発明の効果】
【００１１】
本発明の取付構造によれば、アダプタパネルの一端に爪状の突起を設け、該突起を開口部へ嵌入することによって、ラッチ取付用のスペースを少なくすることができ、光アダプタの実装密度を従来よりも高めることができる。
【００１２】
また、シャーシと別体の掛止部品に開口部と補強部を設けることで、この部品をアダプタパネルの取付と分離式保護カバーの補強とに兼用できる。
【発明を実施するための最良の形態】
【００１３】
以下、本発明の実施形態を図面に基づいて説明する。図１は、シャーシとアダプタパネルを分離して示す。図２は、シャーシにアダプタパネルを取り付ける手順を示す。図３は、シャーシにアダプタパネルの取付部を一体形成した実施例を示す。図４は、分離式保護カバーを示す。図５は、分離式保護カバーの取付構造を示す。
【００１４】
図１に示すように、本実施例では、シャーシ１の前端に左右２枚のアダプタパネル６がラッチ７と掛止部品１１とにより着脱可能に取り付けられている。アダプタパネル６に複数の光アダプタ８が装着されている。そして、シャーシ１をスプライスユニットまたは光パッチパネル（図示略）に装着し、光アダプタ８に光コードを接続するようになっている。
【００１５】
シャーシ１の前面パネル１ａには、ラッチ７の取付孔２と、アダプタパネル６上の光アダプタ８が嵌合する左右一対のスリット３と、掛止部品１１の取付部４とが形成されている。
【００１６】
アダプタパネル６には、光コードを接続するための複数の光アダプタ８がアダプタパネル６に対して斜めに実装されている。アダプタパネル６の一端には、前面パネル１ａの両端に位置するラッチ取付孔２に係止されるラッチ７が設けられている。アダプタパネル６の他端には、前面パネル１ａの中央に位置する掛止部品１１に掛止される爪状突起部９が設けられている。
【００１７】
図２に示すように、掛止部品１１はシャーシ１と別体に形成され、締め付け具１０で前面パネル１ａの取付部４に裏面側から取り付けられる。該掛止部品１１には、左右一対の掛止部１２と補強部１３とが前方に折り曲げられている。掛止部１２には、アダプタパネル６の爪状突起部９を掛止する開口部５が設けられ、補強部１３に分離式保護カバー１６を取り付ける孔１４が設けられている。
【００１８】
なお、図３（ａ）に示すように、爪状突起部９が嵌入する開口部５を前面パネル１ａと一体の掛止片１５に形成し、図３（ｂ）に示すように、掛止片１５を前方へ折り曲げて、掛止部品１１と同様に機能させることも可能である。
【００１９】
アダプタパネル６をシャーシ１に取り付けるには、まず、アダプタパネル６一端の爪状突起部９を掛止部１２または掛止片１５の開口部５に嵌入し、次に、アダプタパネル６他端のラッチ７を前面パネル１ａのラッチ取付孔２に係止する。こうすれば、１つのラッチ７でアダプタパネル６をシャーシ１に取り付けることができる。
【００２０】
図４、図５に示すように、分離式保護カバー１６を使用する場合には、カバー１６の左右両端を前面パネル１ａの両端に設けた取付孔２１に締め付け具１９で取り付ける。そして、保護カバー１６の中央部を掛止部品１１の補強部１３によって補強する。分離式保護カバー１６には、前面パネル１ａの取付孔２１に対応する貫通孔２０と、補強部１３の取付孔１４に対応する貫通孔１７が設けられている。なお、分離式保護カバー１６には、光アダプタ８に接続した光コードを結束して保持する光コード結束具２２が設けられている。
【００２１】
分離式保護カバー１６をシャーシ１に取り付けるには、締め付け具１９を分離式保護カバー１６の貫通孔２０を通して、前面パネル１ａの取付孔２１に締め付け、締め付け具１８を分離式保護カバー１６の貫通孔１７を通して、補強部１３の取付孔１４に締め付ける。こうすれば、アダプタパネル６の取付部品である掛止部品１１を利用して、分離式保護カバー１６のたわみを防止できる。
【００２２】
上記構成のアダプタパネル取付構造によれば、次のような効果を期待できる。
（ａ）アダプタパネル６の一端に爪状突起部９を設けたことで、一つのラッチ７によりアダプタパネル６をシャーシ１に着脱できる。
（ｂ）ラッチ７の数が減少するため、アダプタパネル６における光アダプタ８の実装密度を向上させることができる。
（ｃ）アダプタパネル６の形状を簡素化し、加工コストをダウンできる。
（ｄ）掛止部品１１にアダプタパネル６の取付機能と、分離式保護カバー１６の補強機能を兼備させることができる。
【図面の簡単な説明】
【００２３】
【図１】本発明の一実施例を示すアダプタパネル取付構造の斜視図である。
【図２】シャーシにアダプタパネルを取り付ける手順を示す斜視図である。
【図３】シャーシにアダプタパネル掛止部を一体化した例を示す斜視図である。
【図４】分離式保護カバーを示す斜視図である。
【図５】分離式保護カバーの取付構造を示す斜視図である。
【図６】従来のアダプタパネル取付構造を示す斜視図である。
【図７】従来のアダプタパネルを取り付ける手順を示す斜視図である。
【図８】従来の別のアダプタパネル取付構造を示す斜視図である。
【符号の説明】
【００２４】
１  シャーシ
１ａ  前面パネル
２  ラッチ取付孔
３  スリット
４  取付部
５  開口部
６  アダプタパネル
７  ラッチ
８  光アダプタ
９  爪状突起部
１０  締め付け具
１１  掛止部品
１２  掛止部
１３  補強部
１４  保護カバー取付孔
１５  掛止片
１６  分離式保護カバー
１７  貫通孔
１８  締め付け具
１９  締め付け具
２０  貫通孔
２１  保護カバー取付孔
２２  光コード結束具
【図１】
0005009235.tif 000002
【図２】
0005009235.tif 000003
【図３】
0005009235.tif 000004
【図４】
0005009235.tif 000005
【図５】
0005009235.tif 000006
【図６】
0005009235.tif 000007
【図７】
0005009235.tif 000008
【図８】
0005009235.tif 000009